(57)【要約】【課題】  個人情報が漏洩しにくく、緊急時に本人によらず情報を得ることができる緊急医療情報媒体、緊急医療システム、および緊急医療管理方法を提供する。【解決手段】  緊急医療システムに用いるための緊急医療情報媒体であって、個人情報および認証要求が組み込まれたコード１３を印字されており、コード１３は、読取端末２０により読み取られて医療機関または救急隊員用の認証情報ｄを入力されることで、個人情報を再現できることを特徴とする緊急医療情報媒体。【選択図】  図１
2014157582.tif 000002
【特許請求の範囲】
【請求項１】
緊急医療システムに用いるための緊急医療情報媒体であって、
個人情報および認証要求が組み込まれたコードを印字されており、
前記コードは、読取端末により読み取られて医療機関または救急隊員用の認証情報を入力されることで、個人情報を再現できることを特徴とする緊急医療情報媒体。
【請求項２】
前記コードは、階層化二次元コードであることを特徴とする請求項１記載の緊急医療情報媒体。
【請求項３】
カードであることを特徴とする請求項１記載の緊急医療情報媒体。
【請求項４】
ラベルであることを特徴とする請求項１記載の緊急医療情報媒体。
【請求項５】
緊急医療情報媒体と、読取端末と、を有する緊急医療システムであって、
前記緊急医療情報媒体は、個人情報および認証要求が組み込まれたコードを印字されており、
前記読取端末は、前記コードを読み取って医療機関または救急隊員用の認証情報を入力することで、組み込まれた個人情報を表示できることを特徴とする緊急医療システム。
【請求項６】
前記コードは、階層化二次元コードであることを特徴とする請求項５記載の緊急医療システム。
【請求項７】
緊急医療情報媒体と、読取端末と、を用いる緊急医療管理方法であって、
個人情報を入力する入力工程と、
前記個人情報および認証要求を組み込んだコードを作成して前記緊急医療情報媒体に印字する発行工程と、
前記読取端末により、前記コードを読み取って医療機関または救急隊員用の認証情報を入力して前記個人情報を表示する読取工程と、
を有することを特徴とする緊急医療管理方法。
【発明の詳細な説明】
【技術分野】
【０００１】
本発明は、緊急医療情報媒体、緊急医療システム、および緊急医療管理方法に関するものである。
【背景技術】
【０００２】
従来、緊急医療の現場では、患者の情報を迅速確実に得る方法が検討されている。
その方法として、個人情報が入ったデータベースにリンクしたバーコード入りカードや、個人情報が入ったＩＣカード等を身につける方法がある（例えば、特許文献１および特許文献２を参照）。
【先行技術文献】
【特許文献】
【０００３】
【特許文献１】特開２００２−１６９８９８号公報
【特許文献２】特開２００４−２９２９２７号公報
【発明の概要】
【発明が解決しようとする課題】
【０００４】
しかしながら、このような方法は、カードを落としてしまうと個人情報の漏洩につながるという問題点がある。
一方で、パスワードを設定しておくと、本人が意識不明のような緊急時に情報を得られないという問題点がある。
【０００５】
本発明は、このような問題に鑑みて為されたものであり、その目的とする処は、個人情報が漏洩しにくく、緊急時に本人によらず情報を得ることができる緊急医療情報媒体、緊急医療システム、および緊急医療管理方法を提供することにある。
【課題を解決するための手段】
【０００６】
本発明は、下記の技術的構成により、上記課題を解決するものである。
（１）緊急医療システムに用いるための緊急医療情報媒体であって、個人情報および認証要求が組み込まれたコードを印字されており、前記コードは、読取端末により読み取られて医療機関または救急隊員用の認証情報を入力されることで、個人情報を再現できることを特徴とする緊急医療情報媒体。
（２）前記コードは、階層化二次元コードであることを特徴とする前記（１）記載の緊急医療情報媒体。
（３）カードであることを特徴とする前記（１）記載の緊急医療情報媒体。
（４）ラベルであることを特徴とする前記（１）記載の緊急医療情報媒体。
（５）緊急医療情報媒体と、読取端末と、を有する緊急医療システムであって、前記緊急医療情報媒体は、個人情報および認証要求が組み込まれたコードを印字されており、前記読取端末は、前記コードを読み取って医療機関または救急隊員用の認証情報を入力することで、組み込まれた個人情報を表示できることを特徴とする緊急医療システム。
（６）前記コードは、階層化二次元コードであることを特徴とする前記（５）記載の緊急医療システム。
（７）緊急医療情報媒体と、読取端末と、を用いる緊急医療管理方法であって、個人情報を入力する入力工程と、前記個人情報および認証要求を組み込んだコードを作成して前記緊急医療情報媒体に印字する発行工程と、前記読取端末により、前記コードを読み取って医療機関または救急隊員用の認証情報を入力して前記個人情報を表示する読取工程と、を有することを特徴とする緊急医療管理方法。
【発明の効果】
【０００７】
本発明によれば、個人情報が漏洩しにくく、緊急時に本人によらず情報を得ることができる緊急医療情報媒体、緊急医療システム、および緊急医療管理方法を提供することができる。
【０００８】
また、緊急時に迅速な処置が可能になる緊急医療情報媒体、緊急医療システム、および緊急医療管理方法を提供することができる。
【図面の簡単な説明】
【０００９】
【図１】本発明の緊急医療情報媒体を示す模式図
【図２】本発明の緊急医療システムを示す模式図
【図３】本発明の緊急医療管理方法を示す模式図
【発明を実施するための形態】
【００１０】
以下、図１〜図３を用いて、本発明の緊急医療情報媒体、緊急医療システム、および緊急医療管理方法の実施の形態を説明する。
【実施例１】
【００１１】
図１は、本発明の緊急医療情報媒体を示す模式図である。図２は、本発明の緊急医療システムを示す模式図である。
【００１２】
１０は、緊急医療システムに用いるための緊急医療情報媒体、１１は表面、１２は裏面、１３は、個人情報および認証要求が組み込まれたコード、２０は、スマートホン、スキャナなどの読取端末、ｄは、個人情報を再現することが必要な医療機関または救急隊員用の認証情報である。
【００１３】
本発明の緊急医療情報媒体は、緊急医療システムに用いるための緊急医療情報媒体であって、個人情報および認証要求が組み込まれたコード１３を印字されており、コード１３は、読取端末２０により読み取られて医療機関または救急隊員用の認証情報ｄを入力されることで、個人情報を再現できることを特徴とする。
【００１４】
本発明の緊急医療システムは、緊急医療情報媒体１０と、読取端末２０と、を有する緊急医療システムであって、緊急医療情報媒体１０は、個人情報および認証要求が組み込まれたコード１３を印字されており、読取端末２０は、コード１３を読み取って医療機関または救急隊員用の認証情報ｄを入力することで、組み込まれた個人情報を表示できることを特徴とする。
【００１５】
図１に示すように、緊急医療情報媒体１０は、カードとして構成することが好ましい。
また、緊急医療情報媒体１０は、ラベルとして構成し、何かに貼り付けて用いることもできる。
【００１６】
コード１３は、個人情報が組み込まれており、ある程度の情報量を有することが好ましい。
具体的には、例えば、特許４７６１４００号に示されるような階層化二次元コードなどを用いることが好ましい。
さらに、例えば色相を重ねる順序を変化させ、医療専用のコードとすることもできる。
【００１７】
個人情報としては、例えば、氏名、性別、生年月日、住所、電話番号、（緊急）連絡先、血液型、介護保険、アレルギー、専門医、持病、服用中の薬、病歴、介護支援事務所、緊急医療情報媒体１０の発行年月日、発行した医療機関など、緊急時に必要な情報が考えられる。
【００１８】
個人情報が組み込まれたコード１３を用いれば、ネットワークを経由することなくそのままコード１３から直接個人情報を得ることができるので、緊急時に迅速で適切な処置が可能になる。
【００１９】
そして、コード１３を緊急医療情報媒体１０に印字することで、医療機関がホストコンピュータやシステムを準備する必要がなく、コストを低減できる。
また、第三者が情報を書き換えることはできず、医療事故を防ぐことができる。
【００２０】
そして、コード１３を緊急医療情報媒体１０に印字することができるのは、原則として医療機関に限られる。
ただし、例外的に本人も一部を印字できるようにすることもできる。
【００２１】
また、図２に示すように、コード１３は認証要求も組み込まれており、個人情報を読み取ろうとすると医療機関または救急隊員用の認証情報ｄを要求する。
【００２２】
医療機関は、コード１３を作成するときに、読み取りに必要な医療機関または救急隊員用の特定の認証情報ｄを設定する。
当該認証情報ｄは、原則として医療機関や救急隊員など必要最小限の特定の範囲にのみ知らされる。
したがって、仮に緊急医療情報媒体１０を紛失したとしても、個人情報が漏洩しにくい。
なお、例外的に本人も一部の情報を確認できる認証情報を知っているようにすることもできる。
また、医療機関、救急隊員には重要な情報を得られる認証情報を知らせ、一般には氏名、（緊急）連絡先など限られた一部の情報を得られる認証情報を知らせてもよい。
【００２３】
緊急時には、コード１３は、読取端末２０により読み取られて、医療機関または救急隊員などにより適切な認証情報ｄを入力されることで、個人情報を再現する。
【００２４】
したがって、仮に本人が意識不明のような状態でも、緊急時には本人によらず情報を得ることができる。
なお、認証情報ｄを得られないときは、エラー等を表示してもよい。
また、認証情報ｄに代えて、医療機関または救急隊員などに配布する特定のソフトウェアまたは特定の読取端末により、個人情報を再現できるように構成してもよい。
【００２５】
そして、緊急事態が発生しなければ、再度の診療の際に個人情報を入力（更新）し、新しい緊急医療情報媒体１０を発行してもよい。
この場合、古い緊急医療情報媒体１０を回収するようにすれば、個人情報の保護、医療事故の防止、資源のリサイクルなどの観点から好ましい。
【００２６】
図３は、本発明の緊急医療管理方法を示す模式図である。
【００２７】
本発明の緊急医療管理方法は、緊急医療情報媒体１０と、読取端末２０と、を用いる緊急医療管理方法であって、個人情報を入力する入力（更新）工程Ｓ２と、個人情報および認証要求を組み込んだコード１３を作成して緊急医療情報媒体１０に印字する発行工程Ｓ３と、読取端末２０により、コード１３を読み取って医療機関または救急隊員用の認証情報ｄを入力して個人情報を表示する読取工程Ｓ５と、を有することを特徴とする。
【００２８】
以下、具体的に本発明の緊急医療管理方法を説明する。
【００２９】
まず医療機関による診察Ｓ１が行われる。
【００３０】
そして、Ｓ２に示すように、この診察に得られた個人情報を医療機関が自らのデータベースなどの情報源に入力する（入力工程）。
なお、氏名や生年月日など一部は本人によって入力してもよい。
【００３１】
次に、Ｓ３に示すように、医療機関がソフトウェアなどにより個人情報および認証要求を組み込んだコードを作成し、プリンタなどの発行装置により緊急医療情報媒体１０を発行する。
このとき、医療機関または救急隊員用の認証情報ｄを設定する。
【００３２】
そして、Ｓ４に示すように、緊急事態の発生の有無により工程が変化する。
緊急事態が発生しないときは、Ｓ１へ進む。
この場合、再び診察Ｓ１が行われ、個人情報を入力（更新）する。
緊急事態が発生したときは、Ｓ５へ進む。
【００３３】
次に、Ｓ５に示すように、コード１３が読取端末２０により読み取られて、医療機関または救急隊員などにより適切な認証情報ｄを入力されることで、個人情報が再現される。
【００３４】
したがって、仮に本人が呼びかけに応答できないような状態でも、緊急時には本人によらず個人情報を得ることができる。
【００３５】
そして、Ｓ６に示すように、当該個人情報に基づいて医療機関や救急隊員が緊急処置を行う。
【００３６】
このように、本発明の緊急医療管理方法によれば、ネットワークを経由することなくコード１３そのものから個人情報を得ることができるので、緊急時には医療機関や救急隊員による迅速で適切な処置を受けることが可能になる。
【００３７】
なお、本発明は、緊急事態に限らず、引越しなどにより医療機関を変更するときなどにも用いることができる。
【００３８】
また、認証情報ｄには、外国語を含む医療用語や緊急時の用語などを用いることもできる。
【産業上の利用可能性】
【００３９】
以上のように、本発明によれば、個人情報が漏洩しにくく、緊急時に本人によらず情報を得ることができる緊急医療情報媒体、緊急医療システム、および緊急医療管理方法を提供することができる。
【符号の説明】
【００４０】
１０  緊急医療情報媒体
１１  表面
１２  裏面
１３  コード
２０  読取端末
ｄ  認証情報
【図１】
2014157582.tif 000003
【図２】
2014157582.tif 000004
【図３】
2014157582.tif 000005